【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
共有されるべきデータと表示されるべき共有オブジェクトとに関する記述を含むページデータを提供するウェブサイトとネットワークを介して通信し、オペレーティングシステム（ＯＳ）とウェブブラウザとが実行される情報処理端末であって、
前記ＯＳの機能として、当該ＯＳで管理されているデータを共有するための複数のサービスの情報を、前記ウェブブラウザに提供する提供手段を有し、
前記ウェブブラウザの機能として、前記ウェブサイトから受信したページデータに基づき表示されたページを介して前記共有オブジェクトに対するユーザ指示が行われたことに応じて、前記提供手段により提供された前記情報に基づき、前記複数のサービスを含むリストの中から１つを選択するための選択画面が表示されることを特徴とする情報処理端末。
【請求項２】
前記選択画面を介した選択に応じて、該選択に対応するサービスに対して前記共有されるべきデータが共有されることを特徴とする請求項１に記載の情報処理端末。
【請求項３】
前記ウェブブラウザの機能として、前記選択画面を介した選択に応答して、該選択に対応するサービスを用いた前記共有されるべきデータを共有するための要求が発行されることを特徴とする請求項１または２に記載の情報処理端末。
【請求項４】
前記表示されたページを介した前記共有オブジェクトに対するユーザ指示が行われた場合には、前記ウェブブラウザが前記ページデータの前記記述に含まれる所定の関数を呼び出すことで、前記提供手段により提供される、前記ＯＳで管理され、かつ、前記情報処理端末にインストールされている複数のサービスの情報に基づき、前記選択画面が表示されることを特徴とする請求項１乃至３のいずれか１項に記載の情報処理端末。
【請求項５】
前記ページデータに含まれる前記記述は、前記共有されるべきデータを共有するための前記所定の関数に対応するnavigatorインタフェースを用いた記述を含むことを特徴とする請求項４に記載の情報処理端末。
【請求項６】
前記ネットワークは、インターネットであることを特徴とする請求項１乃至５のいずれか１項に記載の情報処理端末。
【請求項７】
前記ＯＳは、Ａｎｄｒｏｉｄ（登録商標）であることを特徴とする請求項１乃至６のいずれか１項に記載の情報処理端末。
【請求項８】
前記情報処理端末は、スマートフォンであることを特徴とする請求項１乃至７のいずれか１項に記載の情報処理端末。
【請求項９】
共有されるべきデータと表示されるべき共有オブジェクトとに関する記述を含むページデータを提供するウェブサイトとネットワークを介して通信し、オペレーティングシステム（ＯＳ）とウェブブラウザとが実行される情報処理端末における制御方法であって、
前記ＯＳの機能として、当該ＯＳで管理されているデータを共有するための複数のサービスの情報を、前記ウェブブラウザに提供する提供ステップを有し、
前記ウェブブラウザの機能として、前記ウェブサイトから受信したページデータに基づき表示されたページを介して前記共有オブジェクトに対するユーザ指示が行われたことに応じて、前記提供ステップで提供された前記情報に基づき、前記複数のサービスを含むリストの中から１つを選択するための選択画面が表示されることを特徴とする制御方法。
【請求項１０】
共有されるべきデータと表示されるべき共有オブジェクトとに関する記述を含むページデータを提供するウェブサイトとネットワークを介して通信し、オペレーティングシステム（ＯＳ）とウェブブラウザとが実行される情報処理端末であって、
前記ウェブサイトから受信したページデータに基づき、前記共有オブジェクトを含むページを、前記ウェブブラウザを用いて表示する第１表示手段と、
前記ウェブサイトから受信したページデータに基づき表示されたページを介して前記共有オブジェクトに対するユーザ指示が行われたことに応じて、前記ＯＳで管理されているデータを共有するための複数のサービスの情報を含むリストの中から１つを選択するための選択画面を表示する第２表示手段と、
前記選択画面を介した選択に応じて、該選択に対応するサービスに対して前記共有されるべきデータを共有する共有手段と、を有することを特徴とする情報処理端末。
【請求項１１】
前記ウェブブラウザの機能として、前記ウェブサイトから受信したページデータに基づき表示されたページを介して前記共有オブジェクトに対するユーザ指示が行われた後に、前記共有されるべきデータを共有するための要求が発行されることを特徴とする請求項１０に記載の情報処理端末。
【請求項１２】
前記表示されたページを介した前記共有オブジェクトに対するユーザ指示が行われた場合には、前記ウェブブラウザが前記ページデータの前記記述に含まれる所定の関数を呼び出すことで、前記ＯＳで管理され、かつ、前記情報処理端末にインストールされている複数のサービスの情報に基づき、前記選択画面が表示されることを特徴とする請求項１０または１１に記載の情報処理端末。
【請求項１３】
前記ページデータに含まれる前記記述は、前記共有されるべきデータを共有するための前記所定の関数に対応するnavigatorインタフェースを用いた記述を含むことを特徴とする請求項１２に記載の情報処理端末。
【請求項１４】
前記ネットワークは、インターネットであることを特徴とする請求項１０乃至１３のいずれか１項に記載の情報処理端末。
【請求項１５】
前記ＯＳは、Ａｎｄｒｏｉｄ（登録商標）であることを特徴とする請求項１０乃至１４のいずれか１項に記載の情報処理端末。
【請求項１６】
前記情報処理端末は、スマートフォンであることを特徴とする請求項１０乃至１５のいずれか１項に記載の情報処理端末。
【請求項１７】
共有されるべきデータと表示されるべき共有オブジェクトとに関する記述を含むページデータを提供するウェブサイトとネットワークを介して通信し、オペレーティングシステム（ＯＳ）とウェブブラウザとが実行される情報処理端末における制御方法であって、
前記ウェブサイトから受信したページデータに基づき、前記共有オブジェクトを含むページを、前記ウェブブラウザを用いて表示する第１表示ステップと、
前記ウェブサイトから受信したページデータに基づき表示されたページを介して前記共有オブジェクトに対するユーザ指示が行われたことに応じて、前記ＯＳで管理されているデータを共有するための複数のサービスの情報を含むリストの中から１つを選択するための選択画面を表示する第２表示ステップと、
前記選択画面を介した選択に応じて、該選択に対応するサービスに対して前記共有されるべきデータを共有する共有ステップと、を有することを特徴とする制御方法。
【請求項１８】
前記ウェブブラウザの機能として、前記ウェブサイトから受信したページデータに基づき表示されたページを介して前記共有オブジェクトに対するユーザ指示が行われた後に、前記共有されるべきデータを共有するための要求が発行されることを特徴とする請求項１７に記載の制御方法。
【請求項１９】
前記表示されたページを介した前記共有オブジェクトに対するユーザ指示が行われた場合には、前記ウェブブラウザが前記ページデータの前記記述に含まれる所定の関数を呼び出すことで、前記ＯＳで管理され、かつ、前記情報処理端末にインストールされている複数のサービスの情報に基づき、前記選択画面が表示されることを特徴とする請求項１７または１８に記載の制御方法。
【請求項２０】
前記ページデータに含まれる前記記述は、前記共有されるべきデータを共有するための前記所定の関数に対応するnavigatorインタフェースを用いた記述を含むことを特徴とする請求項１９に記載の制御方法。
【請求項２１】
前記ネットワークは、インターネットであることを特徴とする請求項１７乃至２０のいずれか１項に記載の制御方法。
【請求項２２】
前記ＯＳは、Ａｎｄｒｏｉｄ（登録商標）であることを特徴とする請求項１７乃至２１のいずれか１項に記載の制御方法。
【請求項２３】
前記情報処理端末は、スマートフォンであることを特徴とする請求項１７乃至２２のいずれか１項に記載の制御方法。
【請求項２４】
共有されるべきデータと表示されるべき共有オブジェクトとに関する記述を含むページデータを提供するネットワーク上のウェブサイトから受信した該ページデータに基づき前記共有オブジェクトを含むページを表示することができるウェブブラウザを実行するコンピューターに、
前記ウェブサイトから受信したページデータに基づき表示されたページを介して前記共有オブジェクトに対するユーザ指示が行われたことに応じて、オペレーティングシステム（ＯＳ）で管理されているデータを共有するための複数のサービスの情報を含むリストの中から１つを選択するための選択画面を表示するステップと、
前記選択画面を介した選択に応じて、該選択に対応するサービスに対して前記共有されるべきデータを共有するステップと、を実行させるためのプログラム。
【請求項２５】
前記ウェブブラウザの機能として、前記ウェブサイトから受信したページデータに基づき表示されたページを介して前記共有オブジェクトに対するユーザ指示が行われた後に、前記共有されるべきデータを共有するための要求が発行されることを特徴とする請求項２４に記載のプログラム。
【請求項２６】
前記表示されたページを介した前記共有オブジェクトに対するユーザ指示が行われた場合には、前記ウェブブラウザが前記ページデータの前記記述に含まれる所定の関数を呼び出すことで、前記ＯＳで管理され、かつ、前記コンピューターにインストールされている複数のサービスの情報に基づき、前記選択画面が表示されることを特徴とする請求項２４または２５に記載のプログラム。
【請求項２７】
前記ページデータに含まれる前記記述は、前記共有されるべきデータを共有するための前記所定の関数に対応するnavigatorインタフェースを用いた記述を含むことを特徴とする請求項２６に記載のプログラム。
【請求項２８】
前記ネットワークは、インターネットであることを特徴とする請求項２４乃至２７のいずれか１項に記載のプログラム。